(57)【要約】【課題】  陸上撮影時から変更操作することなく、水中撮影時での水深に応じた露光量に変更する。【解決手段】  防水型レンズ付きフイルムユニットを、防水ケース、ユニット本体から構成する。防水ケースは、ケース本体５、蓋体からなる。ケース本体５の上面に、変形部材１３を取り付ける。遮光筒の内部に、絞り変更機構４０を設ける。絞り変更機構４０の左絞り羽根４２及び右絞り羽根４３を、基盤４１に回動自在に取り付ける。左絞り羽根４２及び右絞り羽根４３は、回動レバー４５が時計方向に回動すると絞り開放方向に回動し、回動レバー４５が反時計方向に回動すると絞り閉じ方向に回動する。コイルバネ４７により、回動レバー４５を反時計方向に付勢する。変形部材１３の下方への変形に応じて圧力移動レバー４８が下方に移動すると、回動レバー４５が時計方向に回動する。【選択図】        図７
2006267690.tif 000002
【特許請求の範囲】
【請求項１】
写真フイルムが装填されるとともに撮影機構が組み込まれたユニット本体と、前記ユニット本体を水密に収容する防水ケースと、を有する防水型レンズ付きフイルムユニットにおいて、
撮影光路内で移動して撮影光の光量調整を行う絞り羽根と、
前記絞り羽根を絞り閉じ方向に付勢する付勢手段と、
前記防水ケースに外部から所定以上の圧力が加わったときに、加わる圧力量に応じて前記絞り羽根を絞り開放方向に移動させる移動機構と、を備えたことを特徴とする防水型レンズ付きフイルムユニット。
【請求項２】
前記移動機構は、前記加わる圧力量に応じて変形する弾性変形可能な変形部材と、前記変形部材の変形量に応じて移動して前記絞り羽根を移動させる移動部材とを備えたことを特徴とする請求項１記載の防水型レンズ付きフイルムユニット。
【請求項３】
前記所定の圧力を変更する変更操作手段を備えたことを特徴とする請求項１または２記載の防水型レンズ付きフイルムユニット。
【発明の詳細な説明】
【技術分野】
【０００１】
本発明は、水中撮影が可能な防水型レンズ付きフイルムユニットに関するものである。
【背景技術】
【０００２】
手軽に誰でも写真撮影が楽しめる１回使用型の簡易型カメラであるレンズ付きフイルムユニット）が普及している。予め写真フイルムが装填された状態で販売されているレンズ付きフイルムユニットは、撮影後は写真フイルムを取り出すことなく、そのままの状態で現像取扱店に出せば良いという簡便さと安価なことから、一般に広く利用されている。このようなレンズ付きフイルムユニットを水中でも利用できるようにする目的で、水密構造にした防水ケースにレンズ付きフイルムユニットを収納し、防水ケースの外から撮影操作ができるようにした防水型レンズ付きフイルムユニットが知られている。
【０００３】
防水型レンズ付きフイルムユニットは、陸上でも水中でも撮影可能であるが、水深の深いところで水中撮影を行うと太陽光線が届きにくいため、露光不足となって暗く露光アンダーの写真となることが多いという問題点があった。そこで、特許文献１の防水カメラ及びその製造方法では、外部から操作可能であって、小絞りと大絞りとに切り替えることができる絞り切換レバーを設け、水深の深いところで水中撮影を行う場合には、切り替えレバーを操作して大絞りに切り替えることによって、露光不足を解消している。
【特許文献１】特開２００３−２７０６９９号公報
【発明の開示】
【発明が解決しようとする課題】
【０００４】
しかしながら、特許文献１では、絞り切換レバーを操作して小絞りと大絞りとを切り替えているため、大絞りに切り替えた後に、水面付近や陸上で撮影を行う場合には、再度絞り切換レバーを操作して小絞りに切り替える必要があり、その作業は撮影者にとって煩わしいものであった。また、大絞りのまま水面付近や陸上で撮影を行った場合には、露光オーバーの写真となってしまうという問題があった。
【０００５】
本発明は、上記課題を解決するためになされたものであり、水中撮影が可能であって、陸上撮影時から変更操作することなく、水中撮影時での水深に応じた露光量に変更することのできる防水型レンズ付きフイルムユニットを提供することを目的とする。
【課題を解決するための手段】
【０００６】
上記目的を達成するために、本発明の防水型レンズ付きフイルムユニットは、写真フイルムが装填されるとともに撮影機構が組み込まれたユニット本体と、前記ユニット本体を水密に収容する防水ケースと、を有する防水型レンズ付きフイルムユニットにおいて、撮影光路内で移動して撮影光の光量調整を行う絞り羽根と、前記絞り羽根を絞り閉じ方向に付勢する付勢手段と、前記防水ケースに外部から所定以上の圧力が加わったときに、加わる圧力量に応じて前記絞り羽根を絞り開放方向に移動させる移動機構と、を備えたことを特徴とする。
【０００７】
なお、前記移動機構は、前記加わる圧力量に応じて変形する弾性変形可能な変形部材と、前記変形部材の変形量に応じて移動して前記絞り羽根を移動させる移動部材とを備えることが好ましい。また、前記所定の圧力を変更する変更操作手段を備えることが好ましい。なお、前記変更操作手段は、前記防水ケースの外部から操作可能であることが好ましい。また、前記変更操作手段は、前記付勢手段の付勢力を変更することが好ましい。
【発明の効果】
【０００８】
本発明の防水型レンズ付きフイルムユニットによれば、写真フイルムが装填されるとともに撮影機構が組み込まれたユニット本体と、ユニット本体を水密に収容する防水ケースと、を有する防水型レンズ付きフイルムユニットにおいて、撮影光路内で移動して撮影光の光量調整を行う絞り羽根と、絞り羽根を絞り閉じ方向に付勢する付勢手段と、防水ケースに外部から所定以上の圧力が加わったときに、加わる圧力量に応じて絞り羽根を絞り開放方向に移動させる移動機構と、を備えたから、所定以上の圧力が加わらない陸上での撮影時から変更操作することなく、所定以上の圧力が加わる水中撮影時での露光不足を回避することができる。さらには、水深に応じて変化する水圧に応じて絞り羽根を移動して絞りを変更することができるため、水深に応じた最適な露光量で撮影を行うことができる。
【０００９】
また、所定の圧力を変更する変更操作手段を備えたから、水中撮影の場合には、水の透明度、外気の天候等に応じて所定の圧力を変更することにより、環境に応じた最適な露光量で撮影を行うことができる。
【発明を実施するための最良の形態】
【００１０】
図１及び図２に示すように、防水型レンズ付きフイルムユニット２は、プラスチックの成形品からなる防水ケース３と、その内部に水密に収容されるユニット本体４とから構成されている。防水ケース３は、ユニット本体４の前面及び側面を覆うケース本体５と、背面を覆う蓋体６とからなる。ケース本体５には、レリーズレバー７、巻上げノブ８が設けられるとともに、前面窓１１及び天窓１２が形成されている。ケース本体５は、不透明プラスチックの成形品で構成されているが、前面窓１１及び天窓１２には、透明プラスチックが用いられている。蓋体６は、前面窓１１と同様な透明プラスチックから構成されており、ケース本体５との接合箇所には、水密性を保つためのゴムパッキンが設けられている。また、ケース本体５の上面には、外部から加わる圧力（水圧や気圧等）に応じて下方に変形する弾性変形可能なゴム製の変形部材１３が取り付けられている。
【００１１】
ユニット本体４の前面には、撮影レンズ１４とファインダレンズ１５とが露呈されており、いずれも前面窓１１に対面する。また、ユニット本体４の天面には、カウンタ表示窓１６が設けられ、カウンタ板１７（図３参照）上の目盛りにより、残りの撮影回数が表示される。このカウンタ表示窓１６は、ケース本体５の天窓１２に対面するので、防水ケース３の外側から撮影回数を確認することができる。
【００１２】
図３に示すように、ユニット本体４は、各種撮影機構が組み込まれた本体基部２０と、その前後を覆う遮光カバー２１ａ，２１ｂとからなり、いずれも黒色プラスチックの成形品で構成されている。本体基部２０には、その上部に周知のシャッタチャージ機構、フイルム巻止め機構、フイルムカウント機構、ファインダ光学系などが設けられ、側部には、カートリッジ室２２及びフイルム室２３が一体に形成されている。また、本体基部２０の撮影レンズ１４の背部には、遮光筒２４が設けられている。
【００１３】
フイルムカートリッジ２５から引き出された写真フイルム２６は、ロール状に巻かれてフイルム室２３に収納される。一方、フイルムカートリッジ２５は、カートリッジ室２２に収納される。カートリッジ室２２の上部に設けられた巻上げギア２７は、その下端でフイルムカートリッジ２５のスプール２８と係合する。また、巻上げギア２７は、前述の巻上げノブ８とその軸上で噛合しており、巻上げノブ８の回転操作に伴ってスプール２８を回転させる。スプール２８の回転により、フイルム室２３内の写真フイルム２６がフイルムカートリッジ２５に向かって移動し、これに伴ってシャッタチャージが行われる。
【００１４】
遮光カバー２１ａには、撮影レンズ１４、ファインダレンズ１５、巻上げギア２７を露呈させる各開口のほか、シャッタチャージ機構を露呈させる開口２９が形成されている。前述のレリーズレバー７の操作変位は、開口２９を介してシャッタチャージ機構に伝達される。レリーズレバー７が回動操作されると、シャッタチャージが解除されるとともにシャッタレリーズ機構が動作してシャッタレリーズが行われる。
【００１５】
本体基部２０の背面を覆う遮光カバー２１ｂは、カートリッジ室２２とフイルム室２３の後部を覆って、予め装填された写真フイルム２６を遮光するとともに、フイルムガイド３２によって両室の間にフイルム給送路を形成する。
【００１６】
図４に示すように、遮光筒２４の内部であって撮影レンズ１４の後方には、撮影光軸Ｌ上にシャッタ羽根３５、コイルバネ３６が設けられている。シャッタ羽根３５には、ピンに挿通されて揺動自在に保持される孔３５ａと、露光開口２４ａの前方に配置されて露光開口２４ａの開閉を行う開閉部３５ｂと、コイルバネ３６の一端が掛けられるピン３５ｃと、シャッタ駆動レバー（図示せず）によって蹴飛ばされる突出部３５ｄとが設けられている。シャッタ羽根３５は、コイルバネ３６に付勢されて露光開口２４ａを塞ぐ閉じ位置に保持されている。レリーズレバー７が回動操作されると、シャッタ駆動レバーによって突出部３５ｄが図中左方から右方へと蹴飛ばされ、コイルバネ３６の付勢に抗して開閉部３５ｂが時計回り方向に回動する。これにより、露光開口２４ａが開放されて写真フイルム２６が露光される。
【００１７】
図５は、遮光筒２４の内部であって撮影レンズ１４とシャッタ羽根３５との間に設けられた絞り変更機構４０を示す分解斜視図である。絞り変更機構４０は、基盤４１、左絞り羽根４２、右絞り羽根４３を備える。基盤４１には、撮影光を通過させる開放絞り開口４１ａ、回動ピン４５ｂを挿通させるピン挿通穴４１ｂ、絞り羽根４２、４３を取り付けるための取付孔４１ｃ、絞り羽根４２、４３を閉じ位置（図６及び図７参照）に係止するための係止突起４１ｄ、左絞り羽根４２を受けるための受け部４１ｅが形成されている。基盤４１は、開放絞り開口４１ａが撮影光軸Ｌ上に位置するように設けられている。
【００１８】
左絞り羽根４２には、取付孔４２ａ、ピン挿通孔４２ｂが形成され、右絞り羽根４３には、取付孔４３ａ、ピン挿通孔４３ｂが形成されている。左絞り羽根４２及び右絞り羽根４３は、取付孔４２ａ、取付孔４３ａを中心に回動可能に設けられており、閉じ位置（図６及び図７参照）に位置するときに最小絞り開口Ｇ１を形成し、開放位置（図８参照）まで回動したときに基盤４１の開放絞り開口４１ａを開放するような板状に形成されている。
【００１９】
回動レバー（移動部材）４５は、板状の本体部４５ａ、本体部４５ａの図５における左側端部に形成された回動ピン４５ｂを備え、回動軸孔４５ｃを中心に基盤４１の後面側であってユニット本体４の内部に回動自在に設けられている。回動ピン４５ｂは、基盤４１のピン挿通穴４１ｂ、右絞り羽根４３のピン挿通孔４３ｂ、左絞り羽根４２のピン挿通孔４２ｂの順に挿通されている。
【００２０】
図６に示すように、取付ピン４６を、左絞り羽根４２の取付孔４２ａ、右絞り羽根４３の取付孔４３ａの順に挿通させて、基盤４１の取付孔４１ｃに取り付けると、左絞り羽根４２及び右絞り羽根４３は、基盤４１に回動自在に取り付けられる。左絞り羽根４２及び右絞り羽根４３は、回動レバー４５が時計方向に回動すると絞り開放方向に回動し、回動レバー４５が反時計方向に回動すると絞り閉じ方向に回動する。
【００２１】
図７及び図８に示すように、ユニット本体４の内部には、コイルバネ４７が設けられている。コイルバネ４７は、一端がユニット本体４の内部に取り付けられ、他端が回動レバー４５に取り付けられており、回動レバー４５は、コイルバネ４７により反時計方向に付勢されている。なお、図７は、左絞り羽根４２及び右絞り羽根４３が閉じ位置に位置し、最小絞り開口Ｇ１（図中ハッチングされたエリア）を形成するときの正面図であり、図８は、左絞り羽根４２及び右絞り羽根４３が開放位置に位置し、基盤４１の開放絞り開口４１ａを開放するときの正面図である。左絞り羽根４２及び右絞り羽根４３は、コイルバネ４７により反時計方向に付勢される回動レバー４５によって、絞り閉じ方向に付勢された状態となり、通常時（ケース本体５に移動開始圧力Ｐ１（所定の圧力）以上の圧力が加わっていないとき）には、左絞り羽根４２及び右絞り羽根４３は、閉じ位置に位置する。本実施形態では、左絞り羽根４２及び右絞り羽根４３を絞り閉じ方向に付勢する付勢手段は、回動レバー４５、コイルバネ４７から構成されている。
【００２２】
ユニット本体４の内部には、上下方向に移動可能な圧力移動レバー（移動部材）４８が設けられている。圧力移動レバー４８の下端は、回動レバー４５の右側上面に当接している。これにより、圧力移動レバー４８の移動に応じて、回動レバー４５が回動することとなる。また、圧力移動レバー４８の上端は、遮光カバー２１ａの上面から突出し、ケース本体５に取り付けられた変形部材１３の内面に当接している。変形部材１３は、外部から加わる圧力に応じて下方に変形するため、この変形部材１３の下方への変形に応じて、圧力移動レバー４８が下方に移動することとなる。
【００２３】
回動レバー４５は、コイルバネ４７により反時計方向に付勢されており、この付勢により、圧力移動レバー４８は上方に付勢された状態となる。これにより、微小の圧力や振動が変形部材１３に加わったとしても、コイルバネ４７の付勢により、圧力移動レバー４８が下方に移動することがない。コイルバネ４７の付勢に抗して、圧力移動レバー４８が下方に移動する移動開始圧力Ｐ１（所定の圧力）以上の圧力が変形部材１３に加わると、変形部材１３が下方に変形して圧力移動レバー４８が下方に移動し、それに応じて回動レバー４５が時計方向に回動する。すなわち、移動開始圧力Ｐ１は、コイルバネ４７のバネ加重によって決定される。そして、最大移動圧力Ｐ２が変形部材１３に加わったときに、図８に示すように、変形部材１３、圧力移動レバー４８、回動レバー４５を介して、左絞り羽根４２及び右絞り羽根４３が開放位置まで絞り開放方向に回動し、基盤４１の開放絞り開口４１ａが開放される。なお、最大移動圧力Ｐ２以上の圧力が変形部材１３に加わった場合にも、それ以上、圧力移動レバー４８が下方に移動しないようにされている。また、移動開始圧力Ｐ１が、陸上での気圧よりも大きく、最小絞り開口Ｇ１では露光不足となる水深での水圧となるように、コイルバネ４７のバネ加重は決定される。
【００２４】
図９は、移動開始圧力Ｐ１と最大移動圧力Ｐ２との差圧を差圧量Ｐ３とし、変形部材１３に圧力Ｐ４（移動開始圧力Ｐ１＋（差圧量Ｐ３／４））の圧力が加わり、圧力移動レバー４８、回動レバー４５を介して、左絞り羽根４２及び右絞り羽根４３が絞り開放方向に回動し、図中ハッチングされたエリアの絞り開口Ｇ２を形成するときの正面図である。絞り開口Ｇ２は、最小絞り開口Ｇ１よりも大きく、基盤４１の開放絞り開口４１ａよりも小さい開口となる。本実施形態では、防水ケース３に外部から移動開始圧力Ｐ１（所定の圧力）以上の圧力が加わったときに、加わる圧力量に応じて左絞り羽根４２及び右絞り羽根４３を絞り開放方向に移動させる移動機構は、変形部材１３、回動レバー４５、圧力移動レバー４８から構成されている。また、左絞り羽根４２及び右絞り羽根４３の回動に応じて、シャッタ速度を切り替えるようにしてもよい。
【００２５】
上記のように構成された防水型レンズ付きフイルムユニット２の作用について説明する。撮影者が、陸上で撮影を行う場合には、変形部材１３は変形しないため、最小絞り開口Ｇ１での撮影となる。一方、水中で撮影を行う場合、水深が深くなると、水圧が増加し、変形部材１３に加わる水圧が移動開始圧力Ｐ１以上の圧力となると、変形部材１３が下方に変形して圧力移動レバー４８が下方に移動し、それに応じて回動レバー４５が時計方向に回動する。回動レバー４５が、時計方向に回動すると、それに応じて左絞り羽根４２及び右絞り羽根４３は、絞り開放方向に回動し、例えば、変形部材１３に圧力Ｐ４（移動開始圧力Ｐ１＋（差圧量Ｐ３／４））の水圧が加わる水深では、図９に示すように、絞り開口Ｇ２が形成される。このときに、撮影者が撮影を行うと、絞り開口Ｇ２での撮影となる。変形部材１３に圧力Ｐ４の水圧が加わる水深では、陸上撮影時、及び移動開始圧力Ｐ１以下の水圧となる水深での撮影時に比べて太陽光線が届きにくくなるが、陸上撮影時、及び移動開始圧力Ｐ１以下の水圧となる水深での撮影時の最小絞り開口Ｇ１よりも開口の大きい絞り開口Ｇ２で撮影を行うため、露光不足を解消することができる。
【００２６】
また、撮影者が、変形部材１３に最大移動圧力Ｐ２が加わる水深では、図８に示すように基盤４１の開放絞り開口４１ａが開放され、このときに撮影を行うと、開放絞り開口４１ａでの撮影となる。変形部材１３に最大移動圧力Ｐ２が加わる水深では、変形部材１３に圧力Ｐ４（移動開始圧力Ｐ１＋（差圧量Ｐ３／４））の水圧が加わる水深での撮影時に比べて太陽光線が届きにくくなるが、絞り開口Ｇ２よりも開口の大きい開放絞り開口４１ａで撮影を行うため、露光不足を解消することができる。
【００２７】
このように、水中で撮影を行う場合、水深が深くなると増加する水圧の変化に応じて、撮影時の絞り開口を変更する（水深が深くなり水圧が増加すると、絞りを開放する）ことができるため、陸上撮影時に比べて太陽光線が届きにくくなることに起因する露光不足、及び、水深が深くなるに伴い太陽光線が届きにくくなることに起因する露光不足を解消することができる。
【００２８】
さらに、陸上撮影時と水中撮影時とで設定を切り替える設定切替スイッチ等を設ける必要がないため、この設定切替スイッチの切り替え忘れによる露光オーバーまたは露光不足の発生を防止することができる。
【００２９】
なお、上記実施形態では、左絞り羽根４２と右絞り羽根４３とにより撮影光の光量（絞り）調整を行うようにしたが、絞り羽根の個数は、２個に限定されることなく、適宜変更可能である。さらに、左絞り羽根４２及び右絞り羽根４３は、回動（移動）により絞り開口の大きさを変更して撮影光の光量調整を行うことができればよく、その形状は適宜変更可能である。
【００３０】
また、上記実施形態では、回動レバー４５の回動に応じて左絞り羽根４２及び右絞り羽根４３を回動するようにしたが、これに限定されることなく、モータやソレノイド等を用いて、電気的に左絞り羽根４２及び右絞り羽根４３を回動するようにしてもよい。
【００３１】
図１０、図１１及び図１２に他の実施形態を示す。上記実施形態のものと同様の構成部材には同一の符号を付し、その詳細な説明を簡略化する。図１０に示すように、この実施形態では、カバー本体５の前面には、透明度切替ボタン５１と天候切替ボタン５２とが、上下方向に移動可能に取り付けられている。カバー本体５の前面には、透明度切替ボタン５１の移動範囲における上側端部に「透明」マークが、下側端部に「にごり」マークが、それぞれ印刷や刻印等により表示されている。カバー本体５の前面には、天候切替ボタン５２の移動範囲における上側端部に「快晴」マークが、下側端部に「曇り」マークが、それぞれ印刷や刻印等により表示されている。
【００３２】
図１１に示すように、カバー本体５の前面には、透明度切替ボタン５１の軸５１ｂを挿通するための第１挿通孔５ａと、天候切替ボタン５２の軸５２ｂを挿通するための第２挿通孔５ｂとが形成されている。ユニット本体４の遮光カバー２１ａの前面には、透明度切替ボタン５１の軸５１ｂを挿通するための第１挿通孔２１ｃと、天候切替ボタン５２の軸５２ｂを挿通するための第２挿通孔２１ｄとが形成されている。
【００３３】
透明度切替ボタン５１は、つまみ５１ａと軸５１ｂとからなり、つまみ５１ａは、カバー本体５の前面から操作可能に突出している。天候切替ボタン５２は、つまみ５２ａと軸５２ｂとからなり、つまみ５１ａは、カバー本体５の前面から操作可能に突出している。
【００３４】
カバー本体５とユニット本体４との間には、ゴム製の水密板５３が２個設けられている。水密板５３は、第１挿通孔５ａ及び第２挿通孔５ｂから防水型レンズ付きフイルムユニット２内部に水が入るのを防止するためのものであり、軸５１ｂまたは軸５２ｂを挿通するための挿通孔５３ａが形成されている。軸５１ｂを、第１挿通孔５ａ、挿通孔５３ａ、第１挿通孔２１ｃの順に挿通すると、透明度切替ボタン５１は、上下方向に移動可能に取り付けられる。このとき、水密板５３は、カバー本体５の後面に密着した状態となる。透明度切替ボタン５１の移動に伴い水密板５３が移動するときも、水密板５３は、カバー本体５の後面に密着した状態で移動する。さらに、水密板５３は、透明度切替ボタン５１をどの位置に移動させたときにも、第１挿通孔５ａを遮蔽する大きさで形成されている。これにより、第１挿通孔５ａから防水型レンズ付きフイルムユニット２内部に水が入るのを防止することができる。同様にして、天候切替ボタン５２も、上下方向に移動可能に取り付けられ、水密板５３により、第２挿通孔５ｂから防水型レンズ付きフイルムユニット２内部に水が入るのが防止される。
【００３５】
図１２に示すように、ユニット本体４の内部には、透明度切替コイルバネ５５と、天候切替コイルバネ５６とが設けられている。透明度切替コイルバネ５５は、上側の一端が透明度切替ボタン５１の軸５１ｂに取り付けられ、他端が回動レバー４５に取り付けられている。天候切替コイルバネ５６は、上側の一端が天候切替ボタン５２の軸５２ｂに取り付けられ、他端が回動レバー４５に取り付けられている。本実施形態では、左絞り羽根４２及び右絞り羽根４３を絞り閉じ方向に付勢する付勢手段は、回動レバー４５、透明度切替コイルバネ５５、天候切替コイルバネ５６から構成されている。
【００３６】
回動レバー４５は、透明度切替コイルバネ５５及び天候切替コイルバネ５６により反時計方向に付勢されており、この付勢により、圧力移動レバー４８は上方に付勢された状態となる。本実施形態では、移動開始圧力Ｐ１は、透明度切替コイルバネ５５のバネ加重及び天候切替コイルバネ５６のバネ加重によって決定される。すなわち、透明度切替コイルバネ５５及び天候切替コイルバネ５６のバネ加重が増加すると、移動開始圧力Ｐ１は高くなり、上記バネ加重が減少すると、移動開始圧力Ｐ１は低くなる。
【００３７】
防水型レンズ付きフイルムユニット２で水中撮影を行うとき、水の透明度によって太陽光線が届く量が変化する。水がにごっているときには、水が透明なときに比べて、届く太陽光線の量が少なくなる。このため、同一の水深で水中撮影を行う場合にも、水がにごっているときには、水が透明なときに比べて絞りを開放する（移動開始圧力Ｐ１を低くする）必要がある。
【００３８】
透明度切替ボタン５１を、「透明」マークの位置から「にごり」マークの位置まで下方に移動すると、軸５１ｂに取り付けられた透明度切替コイルバネ５５の一端も下方に移動し、それに応じて、透明度切替コイルバネ５５のバネ加重が減少し、透明度切替コイルバネ５５による回動レバー４５への付勢力が減少する。これにより、移動開始圧力Ｐ１が、透明度切替ボタン５１が「透明」マークの位置に位置するときよりも低くなる。
【００３９】
また、防水型レンズ付きフイルムユニット２で水中撮影を行うとき、天候によって太陽光線が届く量が変化する。曇りのときには、快晴のときに比べて、届く太陽光線の量が少なくなる。このため、同一の水深で水中撮影を行う場合にも、曇りのときには、快晴のときに比べて絞りを開放する（移動開始圧力Ｐ１を低くする）必要がある。
【００４０】
天候切替ボタン５２を、「快晴」マークの位置から「曇り」マークの位置まで下方に移動すると、軸５２ｂに取り付けられた天候切替コイルバネ５６の一端も下方に移動し、それに応じて、天候切替コイルバネ５６のバネ加重が減少し、天候切替コイルバネ５６による回動レバー４５への付勢力が減少する。これにより、移動開始圧力Ｐ１が、天候切替ボタン５２が「快晴」マークの位置に位置するときよりも低くなる。本実施形態では、移動開始圧力Ｐ１（所定の圧力）を変更する変更操作手段は、透明度切替ボタン５１、天候切替ボタン５２、透明度切替コイルバネ５５及び天候切替コイルバネ５６を備えて構成されている。
【００４１】
撮影者は、水中撮影を行う場合、水の透明度及び天候に応じて、透明度切替ボタン５１及び天候切替ボタン５２を操作する。この操作により、移動開始圧力Ｐ１（所定の圧力）を変更することができるため、同一の水深で水中撮影を行う場合にも、水の透明度及び天候に応じて変化する太陽光線量に起因する露光不足または露光オーバーを解消することができる。
【図面の簡単な説明】
【００４２】
【図１】本発明を実施した防水型レンズ付きフイルムユニットを示す外観斜視図である。
【図２】ユニット本体とカバー本体と蓋体とを示す斜視図である。
【図３】ユニット本体を示す分解斜視図である。
【図４】シャッタ羽根とコイルバネとを示す斜視図である。
【図５】絞り変更機構を示す分解斜視図である。
【図６】左絞り羽根と右絞り羽根とが閉じ位置に位置する状態の絞り変更機構を示す斜視図である。
【図７】左絞り羽根と右絞り羽根とが閉じ位置に位置する状態のカバー本体と変形部材と遮光カバーと絞り変更機構と回動レバーとコイルバネと圧力移動レバーとを示す正面図である。
【図８】左絞り羽根と右絞り羽根とが開放位置に位置する状態のカバー本体と変形部材と遮光カバーと絞り変更機構と回動レバーとコイルバネと圧力移動レバーとを示す正面図である。
【図９】左絞り羽根と右絞り羽根とが閉じ位置と開放位置との間に位置する状態のカバー本体と変形部材と遮光カバーと絞り変更機構と回動レバーとコイルバネと圧力移動レバーとを示す正面図である。
【図１０】透明度切替ボタンと天候切替ボタンとを設けた実施形態の防水型レンズ付きフイルムユニットを示す外観斜視図である。
【図１１】図１０に示す実施形態のユニット本体とカバー本体と透明度切替ボタンと天候切替ボタンと水密板とを示す分解斜視図である。
【図１２】左絞り羽根と右絞り羽根とが閉じ位置に位置する状態のカバー本体と変形部材と遮光カバーと絞り変更機構と回動レバーと透明度切替コイルバネと天候切替コイルバネと圧力移動レバーとを示す正面図である。
【符号の説明】
【００４３】
２  防水型レンズ付きフイルムユニット
３  防水ケース
４  ユニット本体
５  ケース本体
６  蓋体
１３  変形部材
１４  撮影レンズ
２０  本体基部
２１ａ、２１ｂ  遮光カバー
２４  遮光筒
２４ａ  露光開口
２６  写真フイルム
３５  シャッタ羽根
４０  絞り変更機構
４１  基盤
４１ａ  開放絞り開口
４２  左絞り羽根
４２ａ、４３ａ  取付孔
４２ｂ、４３ｂ  ピン挿通孔
４３  右絞り羽根
４５  回動レバー（移動部材）
４５ａ  本体部
４５ｂ  回動ピン
４７  コイルバネ
４８  圧力移動レバー（移動部材）
５１  透明度切替ボタン
５２  天候切替ボタン
５３  水密板
５５  透明度切替コイルバネ
５６  天候切替コイルバネ
【図１】
2006267690.tif 000003
【図２】
2006267690.tif 000004
【図３】
2006267690.tif 000005
【図４】
2006267690.tif 000006
【図５】
2006267690.tif 000007
【図６】
2006267690.tif 000008
【図７】
2006267690.tif 000009
【図８】
2006267690.tif 000010
【図９】
2006267690.tif 000011
【図１０】
2006267690.tif 000012
【図１１】
2006267690.tif 000013
【図１２】
2006267690.tif 000014